【手続補正書】
【提出日】平成20年9月22日(2008.9.22)
【手続補正１】
【補正対象書類名】明細書
【補正対象項目名】特許請求の範囲
【補正方法】変更
【補正の内容】
【特許請求の範囲】
【請求項１】  エーロゾル噴霧分与装置において、
分与しようとする製品を入れるための薄いたわみ性プラスチック外側容器と、
この外側容器内に位置させられ、加圧推進剤を、分与しようとする製品に接触しないで入れるのに適する実質的に剛性の内側容器と、
この内側容器の上部を閉じるふたと、
弁ハウジングと、前記ふたから外方に延びる弁棒と、前記内側容器及び外側容器からそれぞれ前記弁棒を通る流れを制御するための一次弁及び二次弁と、これ等の一次弁及び二次弁を密封するための第１及び第２の弾性の密封ガスケットとを備え、前記ふたに取付けられた弁アセンブリであって、前記弁棒が、この弁棒の上端部において開いた上向きに延びる製品穴及び推進剤穴を画定し、これ等の製品穴及び推進剤穴のうちの一方が前記一次弁に連通し、他方が前記二次弁に連通するようにして成る弁アセンブリと、
前記弁アセンブリの一端部に連結され、前記内側容器を貫き前記エーロゾル噴霧分与装置に使えるようにさらに前記製品容器の基部に近接する長さまで延びる製品流れ径路を形成する導管であって、この導管が、前記内側容器から出る箇所においてこの内側容器に対し密封状態である導管と、
前記弁棒に取付けられるようにすると共に前記製品穴及び推進剤穴の上端部に位置するようにした噴霧アクチュエータであって前記製品穴及び推進剤穴に連通する放出口と、ベンチュリ狭窄部を持つノズル挿入体とを備えることにより、前記内側容器から前記ノズル挿入体を通過する推進剤が前記外側容器から製品を吸引し、この結果前記製品及び推進剤が前記噴霧アクチュエータ放出口から出るようにして成る噴霧アクチュエータと、
前記製品流れ径路内において、前記二次弁の下流側に位置させた一方弁の形の三次弁と、
を備え、
前記噴霧アクチュエータが作動させられるときに、前記三次弁は開き、製品が前記外側容器から吸引され導管を上昇させられ、そして前記噴霧アクチュエータが作動させられるときに、前記三次弁は、放出口が詰まる際に閉じて前記推進剤穴から前記噴霧アクチュエータ内への推進剤の流れを生じさせ、前記製品穴を下降させ、前記二次弁を通過させ、前記三次弁は、前記二次弁を通る前記推進剤流れの影響のもとに閉じて、推進剤がたわみ性の前記外側容器内に流入しないようにして成る、エーロゾル噴霧分与装置。
【請求項２】  前記内側容器の頂部を閉じる前記ふたに外周辺部を設け、前記ふたを前記内側容器に前記外周辺部においてまたは前記外周辺部に直接的に隣接して密封状態で取付け、前記ふたに、前記弁ハウジングに取付けた中心部分を設けた請求項１のエーロゾル噴霧分与装置。
【請求項３】  前記内側容器にその頂部に円周方向ビードを設け、前記内側容器の頂部を閉じる前記ふたが、内部に前記弁アセンブリを取付けた内部台部分と、前記内側容器の前記円周方向ビードのまわりに固定した外側みぞ部分とを備えエーロゾル弁取付けカップとした請求項２のエーロゾル噴霧分与装置。
【請求項４】  前記外側容器にその上端部に隣接してたなを設け、前記外側容器内に前記内側容器を位置させるように、この内側容器の円周方向ビードのまわりに固定した前記エーロゾル弁取付けカップの前記外側みぞ部分が、前記たな上にささえられた請求項３のエーロゾル噴霧分与装置。
【請求項５】  前記外側容器に、その頂部においてねじを設け、さらにねじ付きキャップ部材を備え、前記外側容器上に前記ねじ付きキャップ部材をねじ込む時に、前記ねじ付きキャップ部材のキャップ壁と、前記外側容器のたなとの間に前記内側容器の円周方向ビードを捕捉するための頂壁を前記ねじ付きキャップ部材に設けた請求項４のエーロゾル噴霧分与装置。
【請求項６】  前記ねじ付きキャップ部材の頂壁に、前記弁棒及び噴霧アクチュエータを貫いて延びる中心穴を設けた請求項５のエーロゾル噴霧分与装置。
【請求項７】  たわみ性の前記外側容器から製品を分与する際に、この外側容器内の大気圧力を均等化するように、この外側容器の外壁を貫いて延びるダック・ビル弁を、この外側容器に設けた請求項１のエーロゾル噴霧分与装置。
【請求項８】  前記導管に前記三次弁を設けた請求項１のエーロゾル噴霧分与装置。
【請求項９】  前記導管に、前記三次弁用の弁座と、この三次弁部材として作用する逆止め弁用ボールとを設けた請求項８のエーロゾル噴霧分与装置。
【請求項１０】  前記弁座及び逆止め弁用ボールを含む弁座部材を備え、前記導管に、前記エーロゾル弁アセンブリの下端部に連結した一端部と、貫通して延びる流通路を持つ前記弁座部材に連結した他端部とを持つ第１の管状部材と、前記外側容器内に位置し、前記弁座部材に連通する第２の管状部材とを設けた請求項９のエーロゾル噴霧分与装置。
【請求項１１】  前記導管に、製品流れ用の計量オリフィスを設けた請求項１のエーロゾル噴霧分与装置。
【請求項１２】  前記弁ハウジングに、製品流れ用の計量オリフィスを設けた請求項１のエーロゾル噴霧分与装置。
【請求項１３】  前記弁ハウジングに、前記内側容器から前記弁ハウジングの内部に推進剤が通ずるように、前記一次弁と、前記二次弁との間に位置させた１個又は複数個の側壁穴を設けた請求項１のエーロゾル噴霧分与装置。
【請求項１４】  前記弁棒が前記ふたの外方に延びる位置において、前記弁棒のまわりから前記内側容器まで推進剤圧力充てん径路を設け、第１の推進剤圧力充てん径路は、圧力充てん中に前記たわみ性の第１の密封ガスケットの上部の上を、この第１の密封ガスケットの外周縁部のまわりに延び前記内側容器内に下降し、圧力充てん中に第２の推進剤圧力充てん径路は、前記たわみ性の第１の密封ガスケットの上部の上を、この第１の密封ガスケットの内周縁部のまわりに前記弁ハウジングの内部を通り、この弁ハウジングの前記１個又は複数個の側壁穴を経て前記内側容器内に延びるようにし、さらに前記弁ハウジングの内側から前記たわみ性の第２の密封ガスケットを過ぎて延びる推進剤充てん径路の存在しないことを特徴とする請求項１３のエーロゾル噴霧分与装置。
【請求項１５】  前記二次弁に、たわみ性の第２の密封ガスケットと、前記弁棒の製品穴に連通する１個又は複数個の第１の横方向オリフィスとを設け、前記たわみ性の第２の密封ガスケットが、前記噴霧アクチュエータを作動してないときに、前記１個又は複数個の第１の横方向オリフィスに横方向に整合し、これ等の横方向オリフィスをふさぐようにした請求項１のエーロゾル噴霧分与装置。
【請求項１６】  前記製品穴を、前記弁棒の中心に配置した請求項１５のエーロゾル噴霧分与装置。
【請求項１７】  前記一次弁に、前記たわみ性の第１の密封ガスケットと、前記弁棒の前記推進剤穴に連通する前記弁棒の１個又は複数個の第２の横方向オリフィスを設け、前記たわみ性の第１の密封ガスケットが、前記噴霧アクチュエータを作動してないときに、前記１個又は複数個の第２の横方向オリフィスに横方向に整合し、これ等の横方向オリフィスをふさぐようにした請求項１５のエーロゾル噴霧分与装置。
【請求項１８】  たわみ性製品用の外側容器と、推進剤用の内側容器とを持つエーロゾル・システムに使用するためのエーロゾル噴霧分与装置において、
前記外側容器内に位置し、分与しようとする製品に接触しないで加圧推進剤を入れる実質的に剛性の内側容器と、
この内側容易の上部を閉じるふたと、
弁ハウジングと、前記ふたから外方に延びる弁棒と、前記内側容器及び外側容器からそれぞれ前記弁棒を通る流れを制御するための一次弁及び二次弁と、これ等の一次弁及び二次弁を密封するための第１及び第２の弾性の密封ガスケットとを備え、前記ふたに取付けられた弁アセンブリであって、前記弁棒が、この弁棒の上端部において開いた上向きに延びる製品穴及び推進剤穴を画定し、これ等の製品穴及び推進剤穴のうちの一方が前記一次弁に連通し、他方が前記二次弁に連通するようにして成る弁アセンブリと、
前記弁アセンブリの一端部に連結され前記内側容器を貫き、さらに前記外側容器内に延びる製品流路を形成する導管であって、この導管が前記内側容器から出る箇所において前記内側容器に対し密封状態である導管と、
前記弁棒に取付けられ、前記製品穴及び推進剤穴の上端部に位置するようにした噴霧アクチュエータであって前記製品穴及び推進剤穴に連通する放出口とベンチュリ狭窄部を持つノズル挿入体とを備えることにより、前記内側容器から前記ノズル挿入体を通過する推進剤が前記外側容器から製品を吸引し、この結果前記製品及び推進剤が前記噴霧アクチュエータ放出口から出るようにして成る噴霧アクチュエータと、
前記製品流れ径路内において前記二次弁の下流側に位置させた一方弁の形の三次弁と、
を備え、
前記噴霧アクチュエータが作動させられるときに、前記三次弁は開き、製品が前記外側容器から吸引され導管を上昇させられ、そして前記噴霧アクチュエータが作動させられるときに、前記三次弁は、放出口が詰まる際に閉じて前記推進剤穴から前記噴霧アクチュエータ内への推進剤の流れを生じさせ、前記製品穴を下降させ、前記二次弁を通過させ、前記三次弁は、前記二次弁を通る前記推進剤流れの影響のもとに閉じて、推進剤がたわみ性の前記外側容器内に流入しないようにして成るエーロゾル噴霧分与装置。
【請求項１９】  たわみ性の製品用の外側容器と、推進剤用の内側容器と、製品穴及び推進剤穴を持つエーロゾル弁と、弁棒に取付けられ、前記製品穴及び推進剤穴の上端部に位置するようにした噴霧アクチュエータであって、ベンチュリ狭搾部を持つノズル挿入体を持つ噴霧アクチュエータとを備えることにより、前記内側容器から前記ノズル挿入体を経て流れる推進剤により前記外側容器から製品を吸引し、この結果前記製品及び推進剤が前記噴霧アクチュエータ放出口から出るようにした、エーロゾル・システムに使用するためのエーロゾル噴霧分与装置において、
この内側容器の上部を閉じるふたと、
弁ハウジングと、前記ふたから外方に延びる弁棒と、前記内側容器及び外側容器からそれぞれ前記弁棒を通る流れを制御するための一次弁及び二次弁と、これ等の一次弁及び二次弁を密封するための第１及び第２の弾性の密封ガスケットとを備え、前記ふたに取付けられた弁アセンブリであって、前記弁棒が、この弁棒の上端部において開いた上向きに延びる製品穴及び推進剤穴を画定し、これ等の製品穴及び推進剤穴のうちの一方が前記一次弁に連通し、他方が前記二次弁に連通するようにして成る弁アセンブリと、
前記弁アセンブリの一端部に連結され、前記内側容器を貫き前記エーロゾル噴霧分与装置に使えるようにさらに前記製品容器の基部に近接する長さまで延びる製品流れ経路を形成する導管であって、この導管が、前記内側容器から出る箇所においてこの内側容器に対し密封状態である導管と、
前記製品流れ径路内において前記二次弁の下流側に位置させた一方弁の形の三次弁と、
を備え、
前記噴霧アクチュエータが作動させられるときに、前記三次弁は開き、製品が前記外側容器から吸引され導管を上昇させられ、そして前記噴霧アクチュエータが作動させられるときに、前記三次弁は、放出口が詰まる際に閉じて前記推進剤穴から前記噴霧アクチュエータ内への推進剤の流れを生じさせ、前記製品穴を下降させ、前記二次弁を通過させ、前記三次弁は、前記二次弁を通る前記推進剤流れの影響のもとに閉じて、推進剤がたわみ性の前記外側容器内に流入しないようにして成る、エーロゾル噴霧分与装置。